(57)【要約】【課題】簡単な構造で着脱性が良く、確実に腕にフィットさせて装着できる。【解決手段】腕時計ケース２の一端部に取り付けられた第１バンド本体３と、この第１バンド本体３の先端部に取り付けられた尾錠５と、腕時計ケース２の他端部に取り付けられて尾錠５の枠部７に挿入され、且つ尾錠５の係止ピンがスライド可能に挿入するガイド孔が設けられた第２バンド本体４と、この第２バンド本体４の外面に設けられて互いに係合する第１面状ファスナ１０とを備えた。従って、第１、第２バンド本体３、４を締め付けて腕に密着させた状態で、第２バンド本体４を尾錠５の枠部７で折り返して第１面状ファスナ１０を互いに係合させることにより、腕に装着することができる。このため、構造が簡単で、着脱操作性が良く、且つ第２バンド本体４を任意の位置で自由に折り返して第１バンド本体３と連結固定できるので、確実に腕にフィットさせて装着できる。【選択図】        図１
2005006948.tif 000002
【特許請求の範囲】
【請求項１】
腕時計ケースの一端部に取り付けられた第１バンド本体と、
この第１バンド本体の先端部に取り付けられて枠部と係止部とを有する尾錠と、
前記腕時計ケースの他端部に取り付けられて前記尾錠の前記枠部に挿入され、且つ前記尾錠の前記係止部がスライド可能に挿入するガイド孔が長手方向に沿って設けられた第２バンド本体と、
この第２バンド本体の少なくとも外面にその長手方向に沿って設けられて互いに係脱可能に係合する係止部材と
を備えたことを特徴とする時計バンド。
【請求項２】
腕時計ケースの一端部に取り付けられた第１バンド本体と、
この第１バンド本体の先端部に取り付けられた枠状の尾錠と、
前記腕時計ケースの他端部に取り付けられて前記枠状の尾錠に挿入され、且つ前記尾錠に接離可能に当接する抜止部が先端部に設けられた第２バンド本体と、
この第２バンド本体の少なくとも外面にその長手方向に沿って設けられて互いに係脱可能に係合する係止部材と
を備えたことを特徴とする時計バンド。
【請求項３】
腕時計ケースの一端部に取り付けられた第１バンド本体と、
この第１バンド本体の先端部に取り付けられて第１枠部と第１係止部とを有する第１尾錠と、
前記腕時計ケースの他端部に取り付けられて複数の係止孔が長手方向に沿って設けられた第２バンド本体と、
この第２バンド本体が挿入する第２枠部および前記第２バンド本体の前記複数の係止孔のいずれかに挿脱可能に挿入する第２係止部を有する第２尾錠と、
この第２尾錠が端部に取り付けられて前記第１尾錠の前記第１枠部に挿入され、且つ前記第１尾錠の前記第１係止部がスライド可能に挿入するガイド孔が長手方向に沿って設けられた第３バンド本体と、
この第３バンド本体の少なくとも外面にその長手方向に沿って設けられて互いに係脱可能に係合する係止部材と
を備えたことを特徴とする時計バンド。
【発明の詳細な説明】
【０００１】
【発明の属する技術分野】
この発明は、時計バンドに関し、更に詳しくは腕にフィットする時計バンドに関する。
【０００２】
【従来の技術】
従来、時計バンドにおいては、腕時計ケースにその両側に突出させてバンド本体を取り付け、このバンド本体の一端部に係合リングを設け、バンド本体の他端部に紐を取り付け、この紐にフック部材を締付け金具によって取り付け、この締付け金具のフック部を係合リングに係合させた状態で、紐を引っ張ってバンド本体を腕に密着させると、紐が締付け金具によって固定され、これにより腕時計ケースおよびバンド本体を腕にフィットさせて装着するようにしたものがある（例えば、特許文献１参照。）。
【０００３】
【特許文献１】
特開平１１−３４２０１１号公報
【０００４】
【発明が解決しようとする課題】
しかしながら、このような特許文献１の時計バンドでは、腕時計ケースを腕に装着する際、バンド本体の係合リングにフック部材を係合させて紐を引っ張ることにより、その紐を締付け金具で固定するために、締付け金具を、第１、第２締付けリングおよび解除リングを備えた構造にする必要があり、このため締付け金具の構造が複雑で、その製作が面倒であるばかりか、解除リングを操作して第１、第２締付けリングによる紐の締め付けを解除しなければならないため、着脱操作が面倒であるなどの問題がある。
【０００５】
また、この時計バンドでは、フック部材を係合リングから離脱させると、バンド本体の端部同士が分離するため、腕から滑り落ちて脱落する恐れがあるほか、紐を引っ張って締付け金具で固定する際に、紐が腕に食い込むことがあるため、紐の腕への食い込みを防ぐために、バンド本体の裏面に紐が当接する補助バンドを取り付ける必要もあり、これによっても部品点数が増大し、構造が煩雑になるという問題もある。
【０００６】
この発明の課題は、簡単な構造で着脱操作性が良く、容易に且つ確実に腕にフィットさせて装着できるようにすることである。
【０００７】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図５に示すように、腕時計ケース（２）の一端部に取り付けられた第１バンド本体（３）と、この第１バンド本体の先端部に取り付けられて枠部（７）と係止部（係止ピン８）とを有する尾錠（５）と、前記腕時計ケースの他端部に取り付けられて前記尾錠の前記枠部に挿入され、且つ前記尾錠の前記係止部がスライド可能に挿入するガイド孔（９）が長手方向に沿って設けられた第２バンド本体（４）と、この第２バンド本体の少なくとも外面にその長手方向に沿って設けられて互いに係脱可能に係合する係止部材（第１面状ファスナ１０）とを備えたことを特徴とする時計バンド（１）である。
【０００８】
この発明によれば、第１バンド本体に取り付けられた尾錠の枠部に挿入された第２バンド本体を緩める方向に移動させると共に、尾錠の係止部を第２バンド本体のガイド孔に沿って移動させて、第１、第２バンド本体による輪を大きくし、その輪に腕を挿入させ、この状態で第２バンド本体を締め付ける方向に移動させると共に、尾錠の係止部を第２バンド本体のガイド孔に沿って移動させて、第１、第２バンド本体による輪を小さくすることにより、第１、第２バンド本体を腕に密着させる。この状態で、第２バンド本体を尾錠の枠部で折り返し、この折り返された第２バンド本体の外面に設けられた係止部材を互いに係合させることにより、第１、第２バンド本体を腕に密着させた状態で連結固定することができる。また、この状態で、第２バンド本体の折り返された部分を引き離して係止部材の係合を解除すると、第２バンド本体が尾錠の枠部内を移動可能な状態になると共に、尾錠の係止部が第２バンド本体のガイド孔に沿って移動可能な状態になるので、第２バンド本体を尾錠の枠部に対し緩める方向に移動させて、第１、第２バンド本体による輪を大きくすることにより、簡単に腕から取り外すことができる。
【０００９】
このように、この発明によれば、着脱操作性が良いばかりか、第１、第２バンド本体が腕時計ケース共に常に輪の状態をなすので、腕から取り外すときに、誤って腕から腕時計ケースが脱落するのを防ぐことができる。また、第２バンド本体を任意の位置で自由に折り返して第１バンド本体と連結固定することができるので、第１、第２バンド本体が腕に締め付けられ過ぎたり、緩んだりせず、第１、第２バンド本体によって腕時計ケースを容易に且つ確実に腕にフィットさせて装着することができる。さらに、腕時計ケースの一端部に取り付けられた第１バンド本体の先端部に枠部と係止部とからなる尾錠を取り付け、腕時計ケースの一端部に第２バンド本体を取り付け、この第２バンド本体に尾錠の係止部がスライド可能に挿入するガイド孔を設けた構造であるから、先行文献に比べて構造が簡単で部品点数も少なく、製作も容易で、低価格なものを得ることができる。
【００１０】
請求項２に記載の発明は、図６および図７に示すように、腕時計ケース（２）の一端部に取り付けられた第１バンド本体（３）と、この第１バンド本体の先端部に取り付けられた枠状の尾錠（１６）と、前記腕時計ケースの他端部に取り付けられて前記枠状の尾錠に挿入され、且つ前記尾錠に接離可能に当接する抜止部（１７）が先端部に設けられた第２バンド本体（４）と、この第２バンド本体の少なくとも外面にその長手方向に沿って設けられて互いに係脱可能に係合する係止部材（第１面状ファスナ１０）とを備えたことを特徴とする時計バンド（１５）である。
【００１１】
この発明によれば、第１バンド本体に取り付けられた枠状の尾錠に挿入された第２バンド本体を緩める方向に移動させて、第１、第２バンド本体による輪を大きくし、その輪内に腕を挿入させた後、第２バンド本体を締め付ける方向に移動させて、第１、第２バンド本体による輪を小さくすることにより、第１、第２バンド本体を腕に密着させ、この状態で第２バンド本体を尾錠の枠部で折り返し、この折り返された第２バンド本体の外面に設けられた係止部材を互いに係合させることにより、第１、第２バンド本体を腕に密着させた状態で連結固定することができる。また、この場合にも、第２バンド本体の折り返された部分を引き離して係止部材の係合を解除することにより、請求項１に記載の発明と同様、腕から簡単に取り外すことができる。
【００１２】
このように、この発明においても、請求項１に記載の発明と同様、着脱操作性が良いばかりか、第１バンド本体の尾錠に第２バンド本体の抜止部が接離可能に当接することにより、第１、第２バンド本体が腕時計ケースと共に常に輪の状態をなすので、腕から取り外すときに、誤って腕から腕時計ケースが脱落するのを防ぐことができる。また、第２バンド本体を任意の位置で自由に折り返して第１バンド本体と連結固定することができるので、第１、第２バンド本体が腕に締め付けられ過ぎたり、緩んだりせず、第１、第２バンド本体によって腕時計ケースを簡単に且つ確実に腕にフィットさせて装着することができる。特に、尾錠が枠状に形成されているだけであるから、構造が簡単で、しかも第２バンド本体にガイド孔を設ける必要がないので、第２バンド本体の構造も簡単になり、これにより請求項１に記載の発明よりも、更に構造が簡単になり、より一層、安価なものを得ることができる。
【００１３】
請求項３に記載の発明は、図８〜図１１に示すように、腕時計ケース（２）の一端部に取り付けられた第１バンド本体（２１）と、この第１バンド本体の先端部に取り付けられて第１枠部（２６）と第１係止部（第１係止ピン２７）とを有する第１尾錠（２２）と、前記腕時計ケースの他端部に取り付けられて複数の係止孔（２８）が長手方向に沿って設けられた第２バンド本体（２３）と、この第２バンド本体が挿入する第２枠部（３０）および前記第２バンド本体の前記複数の係止孔のいずれかに挿脱可能に挿入する第２係止部（第２係止ピン３１）を有する第２尾錠（２４）と、この第２尾錠が端部に取り付けられて前記第１尾錠の前記第１枠部に挿入され、且つ前記第１尾錠の前記第１係止部がスライド可能に挿入するガイド孔（２９）が長手方向に沿って設けられた第３バンド本体（２５）と、この第３バンド本体の少なくとも外面にその長手方向に沿って設けられて互いに係脱可能に係合する係止部材（第１面状ファスナ１０）とを備えたことを特徴とする時計バンド（２０）である。
【００１４】
この発明によれば、予め、第３バンド本体に設けられた第２尾錠の枠部に第２バンド本体を挿入すると共に、第２バンド本体に設けられた複数の係止孔のいずれかに第２尾錠の第２係止部を挿入させて係止することにより、第２バンド本体に第３バンド本体を連結する。この状態で、第１バンド本体に取り付けられた第１尾錠の第１枠部に挿入された第３バンド本体を緩める方向に移動させると共に、第１尾錠の第１係止部を第３バンド本体のガイド孔に沿って移動させて、第１、第２バンド本体による輪を大きくし、その輪内に腕を挿入させる。そして、第３バンド本体を締め付ける方向に移動させると共に、第１尾錠の第１係止部を第２バンド本体のガイド孔に沿って移動させて、第１、第２バンド本体による輪を小さくすることにより、第３バンド本体によって第１、第２バンド本体を腕に密着させる。この状態で、第３バンド本体を第１尾錠の第１枠部で折り返し、この折り返された第３バンド本体の外面に設けられた係止部材を互いに係合させることにより、第１〜第３バンド本体を腕に密着させた状態で連結固定することができる。また、この場合にも、第３バンド本体の折り返された部分を引き離して係止部材の係合を解除することにより、請求項１に記載の発明と同様、簡単に腕から取り外すことができる。
【００１５】
このように、この発明においても、請求項１に記載の発明と同様、着脱操作性が良いばかりか、第１〜第３バンド本体が腕時計ケースと共に常に輪の状態をなすので、腕から取り外すときに、誤って腕から腕時計ケースが脱落するのを防ぐことができる。また、第３バンド本体を任意の位置で自由に折り返して第１バンド本体と連結固定することができるので、第１、第２バンド本体が腕に締め付けられ過ぎたり、緩んだりせず、第１〜第３バンド本体によって腕時計ケースを簡単に且つ確実に腕にフィットさせて装着することができる。特に、第３バンド本体の端部に取り付けられた第２尾錠の第２係止部を第２バンド本体に設けられた複数の係止孔のいずれかに挿入して、第２尾錠が第２バンド本体に連結される位置を変更することにより、時計バンド全体の長さを腕の太さに応じて適宜調節することができ、このため腕の太さが極端に細くても、また極端に太くても、容易に対応させることができ、これにより、請求項１に記載の発明のものよりも、より一層、使い勝手の良いものを得ることができる。
【００１６】
【発明の実施の形態】
［第１実施形態］
以下、図１〜図５を参照して、この発明の時計バンドの第１実施形態について説明する。
図１はこの発明の時計バンドを腕に装着する途中の状態を示した側面図、図２はその時計バンドの端部同士の連結状態を示した要部の平面図、図３はその時計バンドの端部同士を分離した状態を示し、（ａ）はその要部の平面図、（ｂ）はその側面図である。この時計バンド１は、図１に示すように、腕時計ケース２の一端部（図１では右端部）に取り付けられた第１バンド本体３と、腕時計ケース２の他端部（図１では左端部）に取り付けられた第２バンド本体４とを備えている。
【００１７】
第１バンド本体３は、布やクロス材などの屈曲自在な材料からなり、その先端部には、図１に示すように、尾錠５が取付ピン６によって取り付けられている。この尾錠５は、図２および図３に示すように、第２バンド本体４が挿入するコ字状の枠部７と、この枠部７の中間部に位置する係止ピン８とを有し、これらが金属によって図３（ａ）に示すようにほぼＥ字状に一体に形成され、その各先端部が取付ピン６によって第１バンド本体３の先端部に取り付けられている。また、第２バンド本体４は、第１バンド本体３と同様、布やクロス材などの屈曲自在な材料からなり、図１に示すように、その長さが第１バンド本体３よりも長く形成されている。この第２バンド本体４には、図２に示すように、尾錠５の係止ピン８がスライド可能に挿入するガイド孔９が長手方向に沿って設けられている。
【００１８】
また、この第２バンド本体４の外面には、図１〜図３に示すように、互いに係脱可能に係合する第１面状ファスナ１０が長手方向に沿って設けられている。この第１面状ファスナ１０は、雄ファスナと雌ファスナとからなり、その一方のファスナが第２バンド本体４の腕時計ケース２側に設けられ、他方のファスナが第２バンド本体４の先端側に設けられ、第２バンド本体４の外面が互いに対向するように第２バンド本体４が折り返され、その外面同士が互いに重なり合ったときに、雄ファスナと雌ファスナとが互いに係合し、且つその両者の係合力に抗して第２バンド本体４の折り返し部分を引き離すことにより、雄ファスナと雌ファスナとの係合が解除されるように構成されている。
【００１９】
この場合、第１面状ファスナ１０は、腕時計ケース２側に位置するファスナの長さと、第２バンド本体４の先端側に位置するファスナの長さとが同じ長さであっても良く、また腕時計ケース２側に位置するファスナが短く形成され、第２バンド本体４の先端側に位置するファスナが長く形成されていても良い。また、この第２バンド本体４の先端側における内面には、図１に示すように、互いに係脱可能に係合する第２面状ファスナ１１が長手方向に沿って設けられている。この第２面状ファスナ１１も、雄ファスナと雌ファスナとからなり、第２バンド本体４の内面が互いに対向するように第２バンド本体４が折り返され、その内面同士が互いに重なり合ったときに、雄ファスナと雌ファスナとが互いに係合し、且つその両者の係合力に抗して第２バンド本体４の先端側における折り返し部分を引き離すことにより、雄ファスナと雌ファスナとの係合が解除されるように構成されている。
【００２０】
このような時計バンド１では、予め、第２バンド本体４の先端側を尾錠５の枠部７に挿入させると共に、尾錠５の係止ピン８を第２バンド本体４のガイド孔９に挿入させ、この状態で尾錠５を第１バンド本体３の先端部に取付ピン６で取り付ける。これにより、腕時計ケース２に取り付けられた第１、第２バンド本体３、４が腕時計ケース２と共に常に輪の状態になる。そして、腕時計ケース２を腕に装着する際には、まず、第１バンド本体３に取り付けられた尾錠５の枠部７に挿入された第２バンド本体４を緩める方向に移動させると共に、尾錠５の係止ピン８を第２バンド本体４のガイド孔９に沿って移動させて、第１、第２バンド本体３、４による輪を大きくし、その輪内に腕を挿入させる。このとき、輪を大きくし過ぎても、尾錠１６の係止ピン８が第２バンド本体４のガイド孔９の端部に当接するので、第２バンド本体４が尾錠５の枠部７から抜け出すことがなく、常に第１、第２バンド本体３、４が連結された状態を保つ。
【００２１】
この状態で、図１に示すように、第２バンド本体４を締め付ける方向に移動させると共に、尾錠５の係止ピン８を第２バンド本体４のガイド孔９に沿って移動させて、第１、第２バンド本体３、４による輪を小さくすることにより、第１、第２バンド本体３、４を腕に密着させる。このときには、第２バンド本体４のガイド孔９が長手方向に沿って十分に長く形成されているので、尾錠５の係止ピン８が第２バンド本体４のガイド孔９における腕時計ケース２側の端部に接近するが、ガイド孔９の端部に当接することがない。このため、確実に第１、第２バンド本体３、４を腕に締め付けることができる。そして、図４に示すように、第２バンド本体４をその外面が互いに対向するように尾錠５の枠部７で折り返し、この折り返された第２バンド本体４の外面に設けられた第１面状ファスナ１０を互いに重ね合わせて係合させる。これにより、第１、第２バンド本体３、４が腕に密着した状態で連結固定される。
【００２２】
この状態のとき、図４に示すように、第２バンド本体４の先端側が腕時計ケース２の側方に長く延びている場合には、図５に示すように、第２バンド本体４の先端側をその内面が互いに対向するように更に折り返し、この折り返された第２バンド本体４の先端側の内面に設けられた第２面状ファスナ１０を互いに重ね合わせて係合させる。これにより、第２バンド本体４の先端側が腕時計ケース２の側方に長く延びないように束ねることができる。また、腕時計ケース２を腕から取り外す場合には、まず、第２面状ファスナ１１の係合力に抗して第２バンド本体４の先端側における折り返し部分を引き離し、この後、第１面状ファスナ１０の係合力に抗して第２バンド本体４の折り返し部分を引き離すと、第２バンド本体４が尾錠５の枠部７内を移動可能な状態になると共に、尾錠５の係止ピン８が第２バンド本体４のガイド孔９に沿って移動可能な状態になるので、第１、第２バンド本体３、４による輪を大きくすることにより、簡単に腕時計ケース２を腕から取り外すことができる。
【００２３】
このように、この時計バンド１によれば、着脱作業性が良いばかりか、第１、第２バンド本体３、４が腕時計ケース２と共に常に輪の状態をなすので、腕から取り外すときに、誤って腕から腕時計ケース２が脱落するのを防ぐことができる。また、第２バンド本体４を尾錠５の枠部７内で締め付ける方向に移動させると共に、尾錠５の係止ピン８を第２バンド本体４のガイド孔９に沿って移動させることにより、第１、第２バンド本体３、４を腕に密着させ、この状態で第２バンド本体４を尾錠５の枠部７で折り返して第１面状ファスナ１０を互いに重ね合わせて係合させることにより、第１、第２バンド本体３、４を腕に密着させた状態で連結固定することができる。このため、第１、第２バンド本体３、４が腕に締め付けられ過ぎたり、緩んだりせず、第１、第２バンド本体３、４によって腕時計ケース２を容易に且つ確実に腕にフィットさせて装着することができる。これにより、使用時に腕時計ケース２および時計バンド１が腕に沿って滑り落ちたり、ずれたりせず、良好に腕に装着して使用することができる。
【００２４】
また、この時計バンド１によれば、腕時計ケース２の一端部に取り付けられた第１バンド本体３の先端部に尾錠５を取り付け、且つ腕時計ケース２の他端部に尾錠５の係止ピン８がスライド可能に挿入するガイド孔が設けられた第２バンド本体４を取り付け、この第２バンド本体４の外面および内面にそれぞれ第１、第２面状ファスナ１０、１１を設けた構造であるから、先行文献に比べて構造が簡単で部品点数も少なく、安価に製作することができる。特に、尾錠５は、第２バンド本体４が挿入するコ字状の枠部７と、第２バンド本体４のガイド孔９にスライド可能に挿入する係止ピン８とを有し、これらが金属によって図３（ａ）に示すようにほぼＥ字状に一体に形成されているので、その構造が簡単で、製作も容易にできるばかりか、第２バンド本体４を尾錠５の枠部７内で移動させるときに、係止ピン８が第２バンド本体４のガイド孔９に沿ってスライドするので、第２バンド本体４がクロス材などの屈曲自在な材料で形成されていても、第２バンド本体４が捩じれたりせずに、第２バンド本体４を締め付ける方向および緩める方向に円滑に且つ良好に移動させることができる。
【００２５】
さらに、この時計バンド１では、第２バンド本体４の先端側における内面にも、互いに係脱可能に係合する第２面状ファスナ１１を長手方向に沿って設けたので、第１、第２バンド本体３、４を連結固定したときに、図４に示すように、第２バンド本体４の先端側が腕時計ケース２の側方に長く延びていても、図５に示すように、第２バンド本体４の先端側を更に折り返して第２面状ファスナ１０を互いに重ね合わせて係合させることにより、腕時計ケース２の側方に長く延びた第２バンド本体４の先端側を束ねることができ、これにより使用時に第２バンド本体４の先端側が邪魔にならず、良好に携帯することができ、このため使い勝手の良いものを得ることができる。
【００２６】
［第２実施形態］
次に、図６および図７を参照して、この発明の時計バンドの第２実施形態について説明する。なお、図１〜図５に示された第１実施形態と同一部分には同一符号を付して説明する。
この時計バンド１５は、第１バンド本体３の先端部に取り付けられた尾錠１６と、第２バンド本体４の先端部に設けられた抜止部１７とを備えた構造で、これ以外は第１実施形態とほぼ同じ構造になっている。すなわち、尾錠１６は、第２バンド本体４が移動可能に挿入するコ字状の枠部１８のみで構成され、この枠部１８が取付ピン６によって第１バンド本体３の先端部に回動可能に取り付けられている。
【００２７】
また、第２バンド本体４の先端部に設けられた抜止部１７は、第２バンド本体４の両側面からそれぞれ側方に突出して設けられ、第１バンド本体３に取り付けられた尾錠１６の枠部１８の両側部に接離可能に当接することにより、第２バンド本体４が尾錠１６の枠部１８から抜け出さないように構成されている。また、この第２バンド本体４の腕時計ケース２側における外面には、第１実施形態と同様、互いに係脱可能に係合する第１面状ファスナ１０が長手方向に沿って設けられており、この第２バンド本体４の先端側における内面にも、第１実施形態と同様、互いに係脱可能に係合する第２面状ファスナ１１が長手方向に沿って設けられている。
【００２８】
このような時計バンド１５では、第１実施形態と同様、予め、第２バンド本体４の先端側を尾錠１６の枠部１８に挿入させて、尾錠１６を第１バンド本体３の先端部に取付ピン６で取り付ける。これにより、腕時計ケース２に取り付けられた第１、第２バンド本体３、４が腕時計ケース２と共に常に輪の状態になる。そして、腕時計ケース２を腕に装着する際には、まず、第１バンド本体３に取り付けられた尾錠１６の枠部１８に挿入された第２バンド本体４を緩める方向に移動させて、第１、第２バンド本体３、４による輪を大きくし、その輪内に腕を挿入させる。このとき、輪を大きくし過ぎても、抜止部１７が尾錠１６の枠部１８に当接するので、第１実施形態と同様、第２バンド本体４が尾錠１６の枠部１８から抜け出すことがなく、常に第１、第２バンド本体３、４が連結された状態を保つ。
【００２９】
この状態で、図６に示すように、第２バンド本体４を締め付ける方向に移動させて、第１、第２バンド本体３、４による輪を小さくすることにより、第１、第２バンド本体３、４を腕に密着させる。このときには、第２バンド本体４が尾錠１６の枠部１８内を単に移動するだけであるから、第１実施形態のように第２バンド本体４のガイド孔９によって第２バンド本体４の移動が規制されることがない。このため、第１、第２バンド本体３、４による輪を十分に小さくして、確実に第１、第２バンド本体３、４を腕に締め付けることができる。そして、第２バンド本体４をその外面が互いに対向するように尾錠１６の枠部１８で折り返し、この折り返された第２バンド本体４の第１面状ファスナ１０を互いに重ね合わせて係合させる。これにより、第１、第２バンド本体３、４が腕に密着した状態で連結固定される。
【００３０】
この状態のときにも、第２バンド本体４の先端側が腕時計ケース２の側方に長く延びている場合には、第２バンド本体４の先端側を更に折り返して第２バンド本体４の第２面状ファスナ１０を互いに重ね合わせて係合させ、これにより第２バンド本体４の先端側を束ねる。また、腕時計ケース２を腕から取り外す場合には、第１実施形態と同様、まず、第２面状ファスナ１１の係合力に抗して第２バンド本体４の先端側における折り返し部分を引き離し、この後、第１面状ファスナ１０の係合力に抗して第２バンド本体４の折り返し部分を引き離すことにより、第２バンド本体４が尾錠５の枠部７内を移動可能な状態になるので、第１、第２バンド本体３、４による輪を大きくすることにより、簡単に腕時計ケース２を腕から取り外すことができる。
【００３１】
このように、この時計バンド１５によれば、第１実施形態と同様、着脱作業性が良いばかりか、第１、第２バンド本体３、４が腕時計ケース２と共に常に輪の状態をなすので、腕から取り外すときに、誤って腕から腕時計ケース２が脱落するのを防ぐことができる。また、第１バンド本体３に取り付けられた尾錠１６の枠部１８に挿入された第２バンド本体４を締め付ける方向に移動させて、第１、第２バンド本体３、４を腕に密着させ、この状態で第２バンド本体４を尾錠１６の枠部１８で折り返して第１面状ファスナ１０を互いに重ね合わせて係合させることにより、第１、第２バンド本体３、４を腕に密着させた状態で連結固定することができる。このため、第１実施形態と同様、第１、第２バンド本体３、４が腕に締め付けられ過ぎたり、緩んだりせず、第１、第２バンド本体３、４によって腕時計ケース２を容易に且つ確実に腕に密着させて装着することができる。これにより、使用時に腕時計ケース２および時計バンド１が腕に沿って滑り落ちたり、ずれたりせず、良好に腕に装着して使用することができる。
【００３２】
この場合、尾錠１６は、第２バンド本体４が挿入するコ字状の枠部１８のみで構成されているので、尾錠１６の構造が簡素化するばかりか、第２バンド本体４に、第１実施形態のようなガイド孔９を第２バンド本体４にその長手方向に沿って設ける必要がないため、第２バンド本体４の構造も単純となり、これにより時計バンド１５全体の簡素化を図ることができ、より一層、安価なものを得ることができる。また、この時計バンド１５においても、第２バンド本体４の外面と内面とにそれぞれ第１、第２面状ファスナ１０、１１が設けられているので、着脱操作性が良いばかりか、特に第２バンド本体４の内面における先端側に第２面状ファスナ１１が設けられていることにより、第２バンド本体４の先端側を折り返して第２面状ファスナ１０を互いに重ね合わせて係合させることができ、これにより腕時計ケース２の側方に長く延びた第２バンド本体４の先端側を束ねることができ、このため使用時に第２バンド本体４の先端側が邪魔にならず、良好に携帯することができる。
【００３３】
［第３実施形態］
次に、図８〜図１１を参照して、この発明の時計バンドの第３実施形態について説明する。なお、図１〜図５に示された第１実施形態と同一部分には同一符号を付して説明する。
この時計バンド２０は、図８に示すように、腕時計ケース２の一端部（図８では右端部）に取り付けられた第１バンド本体２１と、この第１バンド本体２１の先端部に設けられた第１尾錠２２と、腕時計ケース２の他端部（図８では左端部）に取り付けられた第２バンド本体２３と、この第２バンド本体２３に第２尾錠２４によって連結された第３バンド本体２５とを備えている。
【００３４】
第１バンド本体２１は、第１実施形態の第１バンド本体３と同様、布やクロス材などの屈曲自在な材料からなり、その先端部には、図８に示すように、第１尾錠２２が取付ピン６によって取り付けられている。この第１尾錠２２は、第１実施形態の尾錠５と同様、第３バンド本体２５が挿入するコ字状の第１枠部２６と、この第１枠部２６の中間部に位置する第１係止ピン２７とを有し、これらが金属によって図９（ａ）に示すようにほぼＥ字状に一体に形成され、その各先端部が取付ピン６によって第１バンド本体２１の先端部に取り付けられている。また、第２バンド本体２３は、第１バンド本体２１と同様、布やクロス材などの屈曲自在な材料からなり、図９（ａ）に示すように、複数の係止孔２８が長手方向に沿って等間隔で設けられている。
【００３５】
また、第３バンド本体２５は、第１バンド本体２１と同様、布やクロス材などの屈曲自在な材料からなり、図８に示すように、その長さが第１、第２バンド本体２１、２３よりも長く形成されている。この第３バンド本体２５の端部には、第２尾錠２４が取付ピン３２によって取り付けられている。この第２尾錠２４は、図９（ａ）および図９（ｂ）に示すように、第２バンド本体２３が挿入するコ字状の第２枠部３０と、この第２枠部３０の中間部に位置する第２係止ピン３１とを有し、これらが別々に形成され、その各先端部分が取付ピン３２によって第３バンド本体２５の一端部にそれぞれ回動可能に取り付けられ、この状態で第２枠部３０に挿入された第２バンド本体２３の複数の係止孔２８のいずれかに第２係止ピン３１が挿入して第２枠部３０の中間部に当接することにより、第２バンド本体２３と第３バンド本体２５とを連結するように構成されている。
【００３６】
また、この第３バンド本体２５には、図９（ａ）に示すように、第１尾錠２２の第１係止ピン２７がスライド可能に挿入するガイド孔２９が長手方向に沿って設けられている。さらに、この第３バンド本体２５の外面には、第１実施形態と同様、互いに係脱可能に係合する第１面状ファスナ１０が長手方向に沿って設けられており、この第３バンド本体２５の先端側における内面にも、第１実施形態と同様、互いに係脱可能に係合する第２面状ファスナ１１が長手方向に沿って設けられている。
【００３７】
このような時計バンド２０では、予め、第３バンド本体２５の先端側を第１尾錠２２の枠部２６に挿入させると共に、第３バンド本体２５のガイド孔２９に第１尾錠２２の第１係止ピン２７をスライド可能に挿入させ、この状態で第１尾錠２２の第１枠部２６および第１係止ピン２７を取付ピン６によって第１バンド本体２１の先端部に取り付ける。また、第３バンド本体２５に設けられた第２尾錠２４の第２枠部３０に第２バンド本体２３を挿入させ、第２バンド本体２３に設けられた複数の第２係止孔２８のいずれかに第２尾錠２４の第２係止ピン３１を挿入させて係止することにより、第２バンド本体２３に第３バンド本体２５を連結する。これにより、腕時計ケース２に取り付けられた第１、第２バンド本体２１、２３および第３バンド本体２５が腕時計ケース２と共に常に輪の状態になる。
【００３８】
そして、腕時計ケース２を腕に装着する際には、まず、第１バンド本体２１に取り付けられた第１尾錠２２の枠部２６に挿入された第３バンド本体２５を緩める方向に移動させると共に、第１尾錠２２の第１係止ピン２７を第３バンド本体２５のガイド孔２９に沿って移動させて、第１、第２バンド本体２１、２３による輪を大きくし、この輪内に腕を挿入させる。このときに、輪を大きくし過ぎても、第１尾錠２２の第１係止ピン２７が第３バンド本体２５のガイド孔２９の端部に当接するので、第３バンド本体２５が第１尾錠２２の第１枠部２６から抜け出すことがなく、常に第１〜第３バンド本体２１、２３、２５が連結された状態を保つ。
【００３９】
この状態で、図８に示すように、第３バンド本体２５を締め付ける方向に移動させると共に、第１尾錠２２の第１係止ピン２７を第３バンド本体２５のガイド孔２９に沿って移動させて、第１、第２バンド本体２１、２３による輪を小さくすることにより、第１、第２バンド本体２１、２３を腕に密着させる。このときにも、第３バンド本体２５のガイド孔２９が長手方向に沿って十分に長く形成されているので、第１尾錠２２の第１係止ピン２７が第３バンド本体４のガイド孔２９における腕時計ケース２側の端部に接近するが、ガイド孔２９の端部に当接することがない。このため、確実に第１、第２バンド本体２１、２３を第３バンド本体２５によって腕に締め付けることができる。
【００４０】
そして、図１０に示すように、第３バンド本体２５をその外面が互いに対向するように第１尾錠２２の第１枠部２６で折り返し、この折り返された第３バンド本体２５の外面に設けられた第１面状ファスナ１０を互いに重ね合わせて係合させる。これにより、第１、第２バンド本体２１、２３が第３バンド本体２５によって腕に密着した状態で連結固定される。この状態のときにも、図１０に示すように、第３バンド本体２５の先端側が腕時計ケース２の側方に長く延びている場合には、図１１に示すように、第３バンド本体２５の先端側をその内面が互いに対向するように更に折り返し、この折り返された第３バンド本体２５の先端側の内面に設けられた第２面状ファスナ１０を互いに重ね合わせて係合させる。これにより、第３バンド本体２５の先端側が束ねられる。
【００４１】
また、腕時計ケース２を腕から取り外す場合には、まず、第２面状ファスナ１１の係合力に抗して第３バンド本体２５の先端側における折り返し部分を引き離し、この後、第１面状ファスナ１０の係合力に抗して第３バンド本体２５の折り返し部分を引き離すと、第３バンド本体２５が第１尾錠２２の第１枠部２６内を移動可能な状態になると共に、第１尾錠２２の第１係止ピン２７が第３バンド本体２５のガイド孔２９に沿って移動可能な状態になるので、第１実施形態と同様、第１、第２バンド本体２１、２３による輪を大きくすることにより、簡単に腕時計ケース２を腕から取り外すことができる。
【００４２】
このように、この時計バンド２０によれば、第１実施形態と同様、着脱作業性が良いばかりか、第１、第２バンド本体３、４が腕時計ケース２と共に常に輪の状態をなすので、腕から取り外すときに、誤って腕から腕時計ケース２が脱落するのを防ぐことができる。また、第２尾錠２４によって第２バンド本体２３に連結された第３バンド本体２５を、第１バンド本体２１に取り付けられた第１尾錠２２の第１枠部２６に挿入した状態で締め付ける方向に移動させると共に、第１尾錠２２の第１係止ピン２７を第２バンド本体２１のガイド孔２９に沿って移動させることにより、第１、第２バンド本体２１、２３を第３バンド本体２５によって腕に密着させ、この状態で第３バンド本体２５を第１尾錠２２の第１枠部２６で折り返して第１面状ファスナ１０を互いに重ね合わせて係合させることにより、第１、第２バンド本体２１、２３を第３バンド本体２５によって腕に密着させた状態で連結固定することができる。
【００４３】
このため、第１実施形態と同様、第１〜第３バンド本体２１、２３、２５が腕に締め付けられ過ぎたり、緩んだりせず、第１〜第３バンド本体２１、２３、２５によって腕時計ケース２を容易に且つ確実に腕にフィットさせて装着することができる。この場合、特に第３バンド本体２５が第２尾錠２４によって第２バンド本体２３に連結されているので、この第２バンド本体２３に設けられた複数の係止孔２８のいずれかに挿入する第２尾錠２４の第２係止ピン２７の挿入位置を変更することにより、第２バンド本体２３に対する第２尾錠２４の取付位置を変更することができる。これにより、時計バンド２０全体の長さを腕の太さに応じて適宜調節することができ、このため腕の太さが極端に細くても、また極端に太くても、容易に対応させることができ、これにより第１実施形態のものよりも、より一層、使い勝手の良いものを得ることができる。
【００４４】
また、この時計バンド２０においても、腕時計ケース２の一端部に取り付けられた第１バンド本体２１の先端部に第１尾錠２２を取り付け、腕時計ケース２の他端部に取り付けられた第２バンド本体２３に第２尾錠２４によって第３バンド本体２５を連結し、この第３バンド本体２５の外面および内面にそれぞれ第１、第２面状ファスナ１０、１１を設けた構造であるから、着脱作業性が良いばかりか、その構造が簡単で部品点数も少なく、安価に製作することができる。この場合にも、第１尾錠２２が、コ字状の第１枠部２６と第１係止ピン２７とを金属によってほぼＥ字状に一体に形成した構成であるから、第１実施形態と同様、第３バンド本体２５を第１尾錠２２の第１枠部２６内で移動させるときに、第１係止ピン２７が第３バンド本体２５のガイド孔２９に沿ってスライドするので、第３バンド本体２５がクロス材などの屈曲自在な材料で形成されていても、第３バンド本体２５が捩じれたりせずに、第３バンド本体２５を円滑に且つ良好に締め付ける方向および緩める方向に移動させることができる。
【００４５】
【発明の効果】
以上説明したように、請求項１に記載の発明によれば、腕時計ケースの一端部に取り付けられた第１バンド本体と、この第１バンド本体の先端部に取り付けられ、且つ枠部と係止部とを有する尾錠と、腕時計ケースの他端部に取り付けられて尾錠の枠部に挿入され、且つ尾錠の係止部がスライド可能に挿入するガイド孔が長手方向に沿って設けられた第２バンド本体と、この第２バンド本体の少なくとも外面にその長手方向に沿って設けられて互いに係脱可能に係合する係止部材とを備えているので、第１、第２バンド本体を腕に密着させた状態で第２バンド本体を尾錠の枠部で折り返して係止部材を互いに係合させることにより、第１、第２バンド本体を腕に密着させた状態で連結固定することができ、また第２バンド本体の折り返し部分を引き離して係止部材の係合を解除するだけで、簡単に腕から取り外すことができる。このため、着脱操作性が良いばかりか、腕から取り外すときに誤って腕から腕時計ケースが脱落するのを防ぐことができるほか、構造も簡単で部品点数も少なく、且つ第２バンド本体を任意の位置で自由に折り返して第１バンド本体と連結固定することができるので、第１、第２バンド本体によって腕時計ケースを容易に且つ確実に腕にフィットさせて装着することができる。
【００４６】
請求項２に記載の発明によれば、腕時計ケースの一端部に取り付けられた第１バンド本体と、この第１バンド本体の先端部に取り付けられた枠状の尾錠と、腕時計ケースの他端部に取り付けられて尾錠に挿入され且つ尾錠に接離可能に当接する抜止部を有する第２バンド本体と、この第２バンド本体の少なくとも外面にその長手方向に沿って設けられて互いに係脱可能に係合する係止部材とを備えているので、第１、第２バンド本体を腕に密着させ、この状態で第２バンド本体を尾錠の枠部で折り返して係止部材を互いに係合させることにより、第１、第２バンド本体を腕に密着させた状態で連結固定することができ、また第２バンド本体の折り返し部分を引き離して係止部材の係合を解除するだけで、簡単に腕から取り外すことができる。このため、請求項１に記載の発明よりも、構造が簡単になるばかりか、請求項１に記載の発明と同様、着脱操作性が良く、腕から取り外すときに誤って腕から腕時計ケースが脱落するのを防ぐことができ、且つ第２バンド本体を任意の位置で自由に折り返して第１バンド本体と連結固定することができるので、第１、第２バンド本体が腕に締め付けられ過ぎたり、緩んだりせず、第１、第２バンド本体によって腕時計ケースを容易に且つ確実に腕にフィットさせて装着することができる。
【００４７】
請求項３に記載の発明によれば、腕時計ケースの一端部に取り付けられた第１バンド本体と、この第１バンド本体の先端部に取り付けられた第１尾錠と、腕時計ケースの他端部に取り付けられて複数の係止孔が長手方向に沿って設けられた第２バンド本体と、この第２バンド本体に第２尾錠によって連結され、且つ第１尾錠に挿入すると共に第１尾錠の第１係止部がスライド可能に挿入するガイド孔が長手方向に沿って設けられた第３バンド本体と、この第３バンド本体の少なくとも外面にその長手方向に沿って設けられて互いに係脱可能に係合する係止部材とを備えているので、第１〜第３バンド本体内に腕を挿入させた状態で第３バンド本体を締め付ける方向に移動させて、第１〜第３バンド本体を腕に密着させ、この状態で第３バンド本体を第１尾錠の第１枠部で折り返して係止部材を互いに係合させることにより、第１〜第３バンド本体を腕に密着させた状態で連結固定することができ、また第３バンド本体の折り返し部分を引き離して係止部材の係合を解除するだけで、簡単に腕から取り外すことができる。
【００４８】
このため、請求項１に記載の発明と同様、着脱操作性が良いばかりか、腕から取り外すときに誤って腕から腕時計ケースが脱落するのを防ぐことができ、且つ第３バンド本体を任意の位置で自由に折り返して第１バンド本体と連結固定することができるので、第１〜第３バンド本体が腕に締め付けられ過ぎたり、緩んだりせず、第１〜第３バンド本体によって腕時計ケースを容易に且つ確実に腕にフィットさせて装着することができる。また、この場合には、第３バンド本体の端部に取り付けられた第２尾錠の第２係止部を第２バンド本体に設けられた複数の係止孔のいずれかに挿入して係止させる位置を変更することにより、時計バンド全体の長さを腕の太さに応じて調節することができ、このため腕の太さが極端に細くても、また極端に太くても、簡単に対応することができ、これにより請求項１に記載の発明のものよりも、より一層、使い勝手の良いものを得ることができる。
【図面の簡単な説明】
【図１】この発明の時計バンドの第１実施形態を示した側面図。
【図２】図１の時計バンドの要部を示した平面図。
【図３】図２の時計バンドの第１、第２バンド本体を分離した状態を示し、（ａ）はその平面図、（ｂ）はその側面図。
【図４】図１の状態で第２バンド本体を尾錠で折り返した状態を示した側面図。
【図５】図４の状態で第２バンド本体の先端側を更に折り返した状態を示した側面図。
【図６】この発明の時計バンドの第２実施形態を示した側面図。
【図７】図６の時計バンドの第１、第２バンド本体を分離した状態を示し、（ａ）はその平面図、（ｂ）はその側面図。
【図８】この発明の時計バンドの第３実施形態を示した側面図。
【図９】図８の時計バンドの第１、第２バンド本体を分離した状態を示し、（ａ）はその平面図、（ｂ）はその側面図。
【図１０】図８の状態で第３バンド本体を尾錠で折り返した状態を示した側面図。
【図１１】図１０の状態で第３バンド本体の先端側を更に折り返した状態を示した側面図。
【符号の説明】
１、１５、２０  時計バンド
２  腕時計ケース
３、２１  第１バンド本体
４、２３  第２バンド本体
５、１６  尾錠
７、１８  枠部
８  係止ピン
９、２９  ガイド孔
１０  第１面状ファスナ
１１  第２面状ファスナ
１７  抜止部
２２  第１尾錠
２４  第２尾錠
２５  第３バンド本体
２６  第１枠部
２７  第１係止ピン
２８  係止孔
３０  第２枠部
３１  第２係止ピン
【図１】
2005006948.tif 000003
【図２】
2005006948.tif 000004
【図３】
2005006948.tif 000005
【図４】
2005006948.tif 000006
【図５】
2005006948.tif 000007
【図６】
2005006948.tif 000008
【図７】
2005006948.tif 000009
【図８】
2005006948.tif 000010
【図９】
2005006948.tif 000011
【図１０】
2005006948.tif 000012
【図１１】
2005006948.tif 000013